(57)【要約】【課題】ハウジングのＵ字形切欠き部に固定する取付ブラケットの歪みや寸法のばらつきを低減させる。【解決手段】飲料ディスペンサ１０の注出ユニット４０を取り付けるための取付ブラケット５０はハウジング１１のＵ字形切欠き部１１ａの後面に密着して固定されたＵ字形をした一枚の平坦な板部材であるＵ字形板部材５１と、Ｕ字形板部材５１の下部の水平部５１ａの上縁から後方に折り曲げて形成された支持部５２とからなり、Ｕ字形板部材５１の左右両側部５１ｂを固定したＵ字形切欠き部１１ａの左右両側部に注出ユニット４０の取付構造体４５の一対の係合溝部４５ａを上側から差し込み、支持板４１の前縁部を支持部５２により支持させるようにした。【選択図】図６
2012025478.tif 000002
【特許請求の範囲】
【請求項１】
ハウジングの前部に収容された冷却水槽と、
この冷却水槽の上部に設けられる支持板と、その下側に支持された飲料を冷却する飲料冷却管と、この支持板の前縁部に設けられて左右両側縁部に上下方向に延びる左右一対の係合溝部を備える取付構造体と、この取付構造体に固定されて前記飲料冷却管の流出端部が接続される注出コックとを一体的に有し、これらを前記ハウジングに着脱可能とした注出ユニットと、
前記ハウジングの前壁上部に形成されたＵ字形切欠き部の後側に設けられて前記取付構造体の係合溝部と摺動自在に係合して前記注出ユニットを前記Ｕ字形切欠き部に着脱可能に取り付けるための取付ブラケットとを備えた飲料ディスペンサにおいて、
前記取付ブラケットは、前記Ｕ字形切欠き部の後面に密着して固定されたＵ字形をした一枚の平坦な板部材であるＵ字形板部材と、このＵ字形板部材の下部の水平部の上縁から後方に折り曲げて形成された支持部とからなり、前記Ｕ字形板部材の左右両側部を固定した前記Ｕ字形切欠き部の両側部に前記取付構造体の一対の係合溝部を上側から差し込み、前記注出ユニットの支持板の前縁部を前記支持部により支持させるようにしたことを特徴とする飲料ディスペンサ。
【請求項２】
請求項１に記載の飲料ディスペンサにおいて、
前記取付ブラケットは、前記Ｕ字形板部材の左右両側部の外縁を後方に折り曲げて補強部としたことを特徴とする飲料ディスペンサ。
【発明の詳細な説明】
【技術分野】
【０００１】
本発明は、飲料冷却管と注出コックとを一体的にした注出ユニットをハウジングに着脱可能とした飲料ディスペンサに関するものである。
【背景技術】
【０００２】
特許文献１には、ハウジングの前部に収容された冷却水槽の上部に設けられる支持板と、その下側に支持された飲料を冷却する飲料冷却管と、この支持板の前縁部に設けられて左右両側縁部に上下方向に延びる左右一対の係合溝部を備える取付構造体と、この取付構造体に固定されて飲料冷却管の流出端部が接続される注出コックとを一体的に有し、これらをハウジングに着脱可能とした注出ユニットを備えた飲料ディスペンサが開示されている。この飲料ディスペンサは、ハウジングの前壁上部に形成されたＵ字形切欠き部の後側に、取付構造体の係合溝部と摺動自在に係合して注出ユニットをハウジングのＵ字形切欠き部に着脱可能に取り付けるための取付ブラケットが設けられている。
【０００３】
特許文献１には、この取付ブラケットの詳細な構造について記載されていないが、この取付ブラケットは一般的に、図８に示すように、一枚の細長い板金部材を折り曲げ加工したものが用いられている。この取付ブラケット６０は、ハウジング１１のＵ字形切欠き部１１ａの下部に設けられた水平板部６１と、この水平板部６１の前縁からＵ字形切欠き部１１ａの下部後面に当接するように下方に折り曲げた下側折曲部６２と、水平板部６１の左右両縁からＵ字形切欠き部１１ａの左右両側部に沿って垂直に折り曲げた一対の垂直板部６３と、これら垂直板部６３の前縁からＵ字形切欠き部１１ａの左右両側部後面に当接するようにして互いに対向するよう内向きに折り曲げた左右一対の係合板部６４とからなる。この取付ブラケット６０は、水平板部６１が冷却水槽２０の前側上端縁に支持されてねじにより固定され、下側折曲部６２の左右両側部と左右一対の係合板部６４とがハウジングのＵ字形切欠き部１１ａにスポット溶接により固定されている（図中の＊がスポット溶接による固定位置である）。注出ユニットをＵ字形切欠き部１１ａに取り付けるときには、左右一対の係合板部６４を固定したＵ字形切欠き部１１ａの左右両側部に取付構造体の左右の係合溝部を上側から差し込み、支持板の前縁を水平板部６１に支持させている。
【先行技術文献】
【特許文献】
【０００４】
【特許文献１】特開２００５−２１２８２２号公報
【発明の概要】
【発明が解決しようとする課題】
【０００５】
上記の取付ブラケット６０は、一枚の細長い板金部材を折り曲げ加工したものが用いられているので、左右一対の垂直板部６３が水平板部６１から直角に折り曲げられていなかったり、垂直板部６３が水平板部６１の規定位置からずれて折り曲げられていると、係合板部６４がＵ字形切欠き部１１ａの左右両側部から突出する等してずれることになる。そうなると、係合板部６４が固定されたＵ字形切欠き部１１ａが取付構造体の係合溝部にきつく係合して注出ユニットが着脱しにくくなったり、係合板部６４が固定されたＵ字形切欠き部１１ａと取付構造体の係合溝部との間のがたつきが大きくなることがあった。
【０００６】
また、左右一対の係合板部６４は、水平板部６１の左右両縁を折り曲げた垂直板部６３の前縁をさらに折り曲げて加工されるものであって、板金部材を２回折り曲げて加工したものであるために、前後方向の位置が合わないことがあった。また、同様に、左右一対の係合板部６４と下側折曲部６２との前後方向の位置が合わないことがあった。左右一対の係合板部６４の前後方向の位置が合わなかったり、これら係合板部６４と下側折曲部６２との前後方向の位置が合わないと、係合板部６４または下側折曲部６２とハウジング１１のＵ字形切欠き部１１ａとの間に隙間が生じたり、ハウジング１１のＵ字形切欠き部１１ａが歪むことがあった。取付ブラケット６０とＵ字形切欠き部１１ａの間に隙間ができたり、ハウジング１１のＵ字形切欠き部１１ａが歪むと、係合板部６４が固定されたＵ字形切欠き部１１ａが取付構造体の係合溝部にきつく係合して注出ユニットが着脱しにくくなったり、係合板部６４が固定されたＵ字形切欠き部１１ａと取付構造体の係合溝部との間のがたつきが大きくなることがあった。本発明はこれらの問題を解決することを目的とする。
【課題を解決するための手段】
【０００７】
本発明は上記課題を解決するため、ハウジングの前部に収容された冷却水槽と、この冷却水槽の上部に設けられる支持板と、その下側に支持された飲料を冷却する飲料冷却管と、この支持板の前縁部に設けられて左右両側縁部に上下方向に延びる左右一対の係合溝部を備える取付構造体と、この取付構造体に固定されて前記飲料冷却管の流出端部が接続される注出コックとを一体的に有し、これらをハウジングに着脱可能とした注出ユニットと、ハウジングの前壁上部に形成されたＵ字形切欠き部の後側に設けられて取付構造体の係合溝部と摺動自在に係合して注出ユニットをＵ字形切欠き部に着脱可能に取り付けるための取付ブラケットとを備えた飲料ディスペンサにおいて、取付ブラケットは、Ｕ字形切欠き部の後面に密着して固定されたＵ字形をした一枚の平坦な板部材であるＵ字形板部材と、このＵ字形板部材の下部の水平部の上縁から後方に折り曲げて形成された支持部とからなり、Ｕ字形板部材の左右両側部を固定したＵ字形切欠き部の両側部に取付構造体の一対の係合溝部を上側から差し込み、注出ユニットの支持板の前縁部を支持部により支持させるようにしたことを特徴とする飲料ディスペンサを提供するものである。
【０００８】
上記のように構成した飲料ディスペンサにおいては、ブラケットのＵ字形板部材はＵ字形をした一枚の平坦な板部材であるので、Ｕ字形板部材はハウジングのＵ字形切欠き部に歪みを生じさせることなく、また、Ｕ字形切欠き部との間に隙間を生じさせることなく密着して固定されることになる。これにより、Ｕ字形板部材の左右両側部を固定したＵ字形切欠き部の両側部が取付構造体の一対の係合溝部にきつく係合して注出ユニットが着脱しにくくなることがなく、これらの間のがたつきが大きくなることはない。また、Ｕ字形板部材はＵ字形をした一枚の平坦な板部材であり、左右両側部の間隔及び左右両側部の水平部に対する角度は材料の板部材を切断したときに決まるので、長い板部材を折り曲げ加工した従来技術と比べて、左右両側部の間隔及び左右両側部の水平部に対する角度を常に一定とすることができる。これにより、Ｕ字形板部材の左右両側部がＵ字形切欠き部の両側部から突出する等してずれることがなく、Ｕ字形板部材の左右両側部を固定したＵ字形切欠き部の両側部が取付構造体の一対の係合溝部にきつく係合して注出ユニットが着脱しにくくなることがなく、これらの間のがたつきが大きくなることはない。このように、取付ブラケットは、長い板部材を折り曲げ加工した従来技術に比べて、部品の形状のばらつきを減らすことができるので、不良部品の低減によりコストダウンを図ることができる。
【０００９】
上記のように構成した飲料ディスペンサにおいて、取付ブラケットはＵ字形板部材の左右両側部の外縁を後方に折り曲げて補強部とするのが好ましく、このようにすれば、Ｕ字形板部材及びＵ字形切欠き部の強度をさらに高くすることができる。
【図面の簡単な説明】
【００１０】
【図１】本発明による飲料ディスペンサの正面図である。
【図２】図１の側方から見た断面図である。
【図３】注出ユニットの正面図である。
【図４】注出ユニットの側面図である。
【図５】注出ユニットの平面図である。
【図６】ハウジングのＵ字形切欠き部の後面に固定された取付ブラケットの斜視図である。
【図７】図１のＡ−Ａ線における部分拡大断面図である。
【図８】ハウジングのＵ字形切欠き部の後面に固定された従来の取付ブラケットの斜視図である。
【発明を実施するための形態】
【００１１】
以下に、本発明による飲料ディスペンサを図面を参照して説明する。本発明による飲料ディスペンサ１０は、飲料が通過する飲料冷却管４４、注出コック４８よりなる注出回路の洗浄を容易とするために、これらを一体的に組み付けた注出ユニット４０をハウジング１１から着脱可能としたものである。飲料ディスペンサ１０はハウジング１１の前部に収容された冷却水槽２０と、この冷却水槽２０の上部に設けられる支持板４１と、その下側に支持された飲料を冷却する飲料冷却管４４と、この支持板４１の前縁部に設けられて左右両側縁部に上下方向に延びる左右一対の係合溝部４５ａを備える取付構造体４５と、この取付構造体４５に固定されて飲料冷却管４４の流出端部４４ｃが接続される注出コック４８とを一体的に有し、これらをハウジング１１に着脱可能とした注出ユニット４０と、ハウジング１１の前壁上部に形成されたＵ字形切欠き部１１ａの後側に設けられて取付構造体４５の係合溝部４５ａと摺動自在に係合して注出ユニット４０をＵ字形切欠き部１１ａに着脱可能に取り付けるための取付ブラケット５０とを備えている。而してこの飲料ディスペンサ１０において、取付ブラケット５０はＵ字形切欠き部１１ａの後面に密着して固定されたＵ字形をした一枚の平坦な板部材であるＵ字形板部材５１と、Ｕ字形板部材５１の下部の水平部５１ａの上縁から後方に折り曲げて形成された支持部５２とからなり、Ｕ字形板部材５１の左右両側部５１ｂを固定したＵ字形切欠き部１１ａの左右両側部に取付構造体４５の一対の係合溝部４５ａを上側から差し込み、注出ユニット４０の支持板４１の前縁部を支持部５２により支持させるようにしたものである。以下に、この飲料ディスペンサ１０について詳述する。
【００１２】
図２に示すように、この飲料ディスペンサ１０は、上面が開口したハウジング１１の前部に冷却水を貯える冷却水槽２０と、このハウジング１１の後部に蒸発器２２を除く冷凍装置２１を備えている。ハウジング１１の上面開口には蓋体１２が着脱可能に設けられている。図１及び図６に示すように、ハウジング１１の前壁上部にはＵ字形をしたＵ字形切欠き部１１ａが形成されており、このＵ字形切欠き部１１ａには取付ブラケット５０により後述する注出ユニット４０が着脱可能に取り付けられている。
【００１３】
冷凍装置２１は、冷却水槽２０内の冷却水を冷却するためのものであり、圧縮機により圧縮した冷媒ガスを凝縮器により冷却して液化させ、この液化冷媒を膨張弁を通して冷却水槽２０の外周にコイル状に設けた蒸発器２２に導いて気化させ、この蒸発器２２の周囲に氷を形成させて冷却水槽２０内の冷却水を冷却するものである。
【００１４】
図２に示すように、冷却水槽２０には、冷却水を撹拌する撹拌装置３０が設けられている。撹拌装置３０は、冷却水槽２０の中央部に起立する支持柱３１と、この支持柱３１の上端に取り付けられたモータ支持板３２と、このモータ支持板３２の上面に支持されたモータ３３と、冷却水槽２０内でモータ３３の出力軸３３ａの先端部に固定された撹拌翼３４とを備えており、モータ３３の駆動により回転する撹拌翼３４によって冷却水を撹拌するものである。また、撹拌翼３４の外周には、筒状の金網部材３５が設けられており、冷凍装置２１の蒸発器２２から剥離した氷が撹拌翼３４に衝突しないようになっている。
【００１５】
図２〜図５に示すように、注出ユニット４０は、冷却水槽２０の上部に設けられた支持板４１と、その下側に支持された飲料冷却管４４と、この支持板４１の前縁部に設けられて左右両側縁部に上下方向に延びる左右一対の係合溝部４５ａを備える取付構造体４５と、この取付構造体４５に固定されて飲料冷却管４４の流出端部４４ｃが接続される注出コック４８とを一体的に有し、これらをハウジング１１に着脱可能としたものである。
【００１６】
図２、図４及び図５に示すように、支持板４１は、冷却水槽２０の上部に配置された水平板部４１ａとこの前縁がＵ字形切欠き部１１ａの下部から上方に直角に折り曲げられた垂直板部４１ｂとからなる側方から見た形状がＬ字形の板金部材よりなる。支持板４１の水平板部４１ａの略中央部には、上記の撹拌装置３０を挿通させるための貫通穴４１ｃが形成されている。支持板４１の下面には貫通穴４１ｃの外周部に等間隔に固定されて冷却水槽２０内に立設する３本のホルダ４２が固定されており、支持板４１はこれら３本のホルダ４２により冷却水槽２０の上部位置に支持されている。３本のホルダ４２の下端には下板４３が固定されており、この下板４３には支持板４１の貫通穴４１ｃと同心的に形成されて撹拌装置３０を通過させるための貫通穴４３ａが形成されている。
【００１７】
図２〜図４に示すように、支持板４１の下側には、飲料を冷却するための飲料冷却管４４が３本のホルダ４２により固定されている。飲料冷却管４４は通過する飲料を冷却水槽２０内の冷却水と熱交換することで冷却するものであり、その流入端部４４ａには図示しないビア樽のような飲料供給源から導出されたホースがジョイント４４ｂを介して接続されており、その流出端部４４ｃには注出コック４８が接続されている。
【００１８】
図４及び図５に示すように、支持板４１の前縁部に設けられた取付構造体４５は、注出ユニット４０を着脱可能にハウジング１１に取り付けるためのものであり、左右両側縁部に上下方向に延びる左右一対の係合溝部４５ａを備えている。取付構造体４５は、支持板４１の垂直板部４１ｂと、この垂直板部４１ｂの前後に設けられた前板４６と後板４７とから構成されている。前板４６の横幅は支持板４１の垂直板部４１ｂの横幅より長くなっており、前板４６の左右の両側縁部４６ａは支持板４１の垂直板部４１ｂの左右の両側端から側方に突出している。前板４６はハウジング１１の前壁より少し前側で支持板４１の垂直板部４１ｂに固定されており、前板４６の左右両側縁部４６ａ及び下部は、Ｕ字形切欠き部１１ａの左右両側部及び下部を前側から覆っている。後板４７の横幅は支持板４１の垂直板部４１ｂの横幅より長くなっており、後板４７の左右の両側縁部４７ａは支持板４１の垂直板部４１ｂの左右の両側端から側方に突出している。また、後板４７の左右の両側縁部４７ａは有段状に後方に折り曲げられている。
【００１９】
図４及び図５に示すように、取付構造体４５の係合溝部４５ａは、支持板４１の垂直板部４１ｂの左右の各端と、前板４６の左右の各側縁部４６ａの後面と、後板４７の左右の各側縁部４７ａの前面とにより形成されている。左右一対の係合溝部４５ａを後述する取付ブラケット５０が固定されたハウジング１１のＵ字形切欠き部１１ａの左右両側部に差し込みやすくするために、後板４７の左右の両側縁部４７ａの下端部４７ｂは後側に傾斜して折り曲げられている。また、左右一対の係合溝部４５ａを後述する取付ブラケット５０が固定されたハウジング１１のＵ字形切欠き部１１ａの左右両側部に差し込んで係合させたときに、これらの間で前後方向のがたつきを小さくするために、後板４７の左右の両側縁部４７ａの上端部４７ｃは前方に傾斜して折り曲げられている。
【００２０】
注出コック４８は、取付構造体４５の前板４６、支持板４１の垂直板部４１ｂ及び後板４７の中央部を貫通した状態で嵌合固定されている。
【００２１】
図６及び図７に示すように、ハウジング１１のＵ字形切欠き部１１ａの後側には、上記の注出ユニット４０の取付構造体４５をＵ字形切欠き部１１ａに取り付けるための取付ブラケット５０が設けられている。図６に示すように、取付ブラケット５０は、ハウジング１１のＵ字形切欠き部１１ａの後面に密着して固定されたＵ字形をした一枚の板部材よりなるＵ字形板部材５１と、このＵ字形板部材５１の下部の水平部５１ａの上縁から後方に折り曲げて形成された支持部５２とからなる。また、Ｕ字形板部材５１の左右両側部５１ｂにはその外縁から後方に折り曲げられた左右一対の補強部５１ｃが形成されており、補強部５１ｃはＵ字形板部材５１の左右両側部５１ｂを補強するものである。左右一対の補強部５１ｃの下縁には、互いに内向きに折り曲げれて冷却水槽２０の前側上端縁に取り付けるための舌部５１ｄが形成されている。取付ブラケット５０はＵ字形板部材５１の両側部５１ｂがハウジング１１のＵ字形切欠き部１１ａの両側部にスポット溶接により固定され（図中の＊がスポット溶接による固定位置である）、支持部５２及び舌部５１ｄが冷却水槽２０の前側上端縁に支持されてねじにより固定されている。
【００２２】
上記の注出ユニット４０をハウジング１１のＵ字形切欠き部１１ａに取り付けるときには、支持板４１の下側に設けられたコイル状の飲料冷却管４４を撹拌装置３０の外周に挿通した状態で冷却水槽２０内に収容し、図７に示すように、同時にＵ字形板部材５１の左右両側部５１ｂを固定したハウジング１１のＵ字形切欠き部１１ａの左右両側部に取付構造体４５の左右の係合溝部４５ａを上側から差し込んで係合させ、支持板４１の前縁下面を取付ブラケット５０の支持部５２に支持させれば、注出ユニット４０は飲料冷却管４４を冷却水槽２０内に収容した状態でハウジング１１のＵ字形切欠き部１１ａに取り付けられる。
【００２３】
また、注出ユニット４０を上側に抜き出せば、取付構造体４５の係合溝部４５ａがＵ字形板部材５１の左右両側部５１ｂを固定したハウジング１１のＵ字形切欠き部１１ａの両側部から離脱され、注出ユニット４０はハウジング１１のＵ字形切欠き部１１ａから取り外される。
【００２４】
上記のように構成した飲料ディスペンサ１０においては、取付ブラケット５０のＵ字形板部材５１は一枚の平坦なＵ字形をした板部材であるので、Ｕ字形切欠き部１１ａとの当接面を面一とすることができる。よって、Ｕ字形板部材５１はハウジング１１のＵ字形切欠き部１１ａに歪みを生じさせることなく、また、ハウジング１１のＵ字形切欠き部１１ａとの間に隙間を生じさせることなく密着して固定されることになる。これにより、Ｕ字形板部材５１の左右両側部５１ｂを固定したＵ字形切欠き部１１ａの両側部が取付構造体４５の一対の係合溝部４５ａにきつく係合して注出ユニット４０が着脱しにくくなることがなく、これらの間のがたつきが大きくなることはない。
【００２５】
また、Ｕ字形板部材５１は一枚の平坦なＵ字形をした板部材であり、左右両側部５１ｂの間隔及び左右両側部５１ｂの水平部５１ａに対する角度は材料の板部材を切断したときに決まるので、長い板部材を折り曲げ加工した従来技術と比べて、左右両側部５１ｂの間隔を一定とするとともに左右両側部５１ｂの水平部５１ａに対する角度を常に垂直とすることとできる。これにより、Ｕ字形板部材５１の左右両側部５１ｂがハウジング１１のＵ字形切欠き部１１ａの両側部から突出したり、入り込む等してずれることがなく、Ｕ字形板部材５１の左右両側部５１ｂを固定したＵ字形切欠き部１１ａの両側部が取付構造体４５の一対の係合溝部４５ａにきつく係合して注出ユニットが着脱しにくくなることがなく、これらの間のがたつきが大きくなることはない。このように、取付ブラケット５０は、長い板部材を折り曲げ加工した従来技術に比べて、部品の形状のばらつきを減らすことができるので、不良部品の低減によりコストダウンを図ることができる。
【符号の説明】
【００２６】
１０…飲料ディスペンサ、２０…冷却水槽、４０…注出ユニット、４１…支持板、４４…飲料冷却管、４５…取付構造体、４５ａ…係合溝部、４８…注出コック、５０…取付ブラケット、５１…Ｕ字形板部材、５１ａ…水平部、５１ｂ…両側部、５１ｃ…補強部、５２…支持部。
【図１】
2012025478.tif 000003
【図２】
2012025478.tif 000004
【図３】
2012025478.tif 000005
【図４】
2012025478.tif 000006
【図５】
2012025478.tif 000007
【図６】
2012025478.tif 000008
【図７】
2012025478.tif 000009
【図８】
2012025478.tif 000010